【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
外向きに延びる音波導波管を有する歯ブラシヘッドと、
超音波変換部が約２０ｋＨｚよりも大きい周波数を有する超音波を該音波導波管を通して伝達するように、該音波導波管に作動可能なように接続された超音波変換部と、
該歯ブラシヘッドに操作可能なように接続されたハンドルと
を備えた歯ブラシ。
【請求項２】
前記歯ブラシヘッドが複数の外向きに延びる毛をさらに備える、請求項１に記載の歯ブラシ。
【請求項３】
前記歯ブラシヘッドが取り外し可能なように前記ハンドルに接続されている、請求項１に記載の歯ブラシ。
【請求項４】
前記音波導波管がポリマーから形成されている、請求項１に記載の歯ブラシ。
【請求項５】
前記ポリマーが、常温加硫シリコーン、液体射出成形シリコーン、および熱可塑性エラストマーから選択される、請求項４に記載の歯ブラシ。
【請求項６】
前記音波導波管が誘電性物質から形成されている、請求項１に記載の歯ブラシ。
【請求項７】
前記音波導波管が、約５ＳｈｏｒｅＡと約２００ＳｈｏｒｅＡとの間の硬度を有する材料から形成される、請求項１に記載の歯ブラシ。
【請求項８】
前記音波導波管が、約２０ＳｈｏｒｅＡと約８０ＳｈｏｒｅＡとの間の硬度を有する材料から形成される、請求項１に記載の歯ブラシ。
【請求項９】
前記音波導波管が複数の層を備え、該層の少なくとも２つが異なった材料特性を有する、請求項１に記載の歯ブラシ。
【請求項１０】
前記音波導波管がグラファイト層およびポリマー層を含み、該ポリマー層が該グラファイト層の周辺にて成形されている、請求項９に記載の歯ブラシ。
【請求項１１】
前記音波導波管が、少なくとも８０のＳｈｏｒｅ  Ａ硬度を有する第１の層、該第１の層と接触し、約２０と８０との間のＳｈｏｒｅ  Ａ硬度を有する第２の層、および、該第２の層と接触し、２０以下のＳｈｏｒｅ  Ａ硬度を有する第３の層を含む、請求項９に記載の歯ブラシ。
【請求項１２】
前記音波導波管が、くさび型である、請求項１に記載の歯ブラシ。
【請求項１３】
前記音波導波管が前記超音波をコヒーレントに収束するように形作られた、請求項１に記載の歯ブラシ。
【請求項１４】
前記音波導波管が前記超音波を圧縮するように形作られた、請求項１に記載の歯ブラシ。
【請求項１５】
前記超音波変換部が、圧電変換部、磁歪変換部、微細加工キャパシティブ超音波変換部、および静電ポリマー泡変換部からなる群から選択される、請求項１に記載の歯ブラシ。
【請求項１６】
前記超音波変換部が、ジルコン酸チタン酸鉛、ポリフッ化ビニリデン、ニオブ酸リチウム、石英、およびチタン酸バリウムからなる群から選択される材料を備える圧電変換部である、請求項１５に記載の歯ブラシ。
【請求項１７】
前記超音波変換部に作動可能なように接続されたインピーダンス・マッチング層をさらに備える、請求項１に記載の歯ブラシ。
【請求項１８】
前記歯ブラシヘッドを約２０Ｈｚと２０ｋＨｚとの間の周波数で振動させる音波構成要素をさらに備える、請求項１に記載の歯ブラシ。
【請求項１９】
作動の間、約２０ｋＨｚ〜約３ＭＨｚの範囲内の周波数で前記超音波変換部を駆動する超音波モジュールドライブ回路をさらに備える、請求項１に記載の歯ブラシ。
【請求項２０】
前記超音波モジュールドライブ回路が、作動の間、該超音波変換部を、約１００ｋＨｚ〜約７５０ｋＨｚの範囲内の周波数で駆動する、請求項１９に記載の歯ブラシ。
【請求項２１】
作動の間、約１％と約１０％との間のデューティーサイクルで前記超音波変換部を駆動する超音波モジュールドライブ回路をさらに備える、請求項１に記載の歯ブラシ。
【請求項２２】
作動の間、少なくとも約１０％のデューティーサイクルで前記超音波変換部を駆動する超音波モジュールドライブ回路をさらに備える、請求項１に記載の歯ブラシ。
【請求項２３】
前記歯ブラシが、作動の間、約０．０１〜約１．９の範囲の機械的インデックスを生じる、請求項１に記載の歯ブラシ。
【請求項２４】
１パケットにおける個々の超音波の数が、前記超音波変換部の作動の間、約１と約５，０００との間である、請求項１に記載の歯ブラシ。
【請求項２５】
前記超音波変換部のパルス繰返し周波数が、作動の間、約１Ｈｚと約１０，０００Ｈｚとの間の範囲である、請求項１に記載の歯ブラシ。
【請求項２６】
前記歯ブラシヘッドが、前記ハンドルに固定して取り付けられている、請求項１に記載の歯ブラシ。
【請求項２７】
前記音波導波管が、作動の間、デンタル流体内に延びる可撓性のある機械的な突起物である、請求項１に記載の歯ブラシ。
【請求項２８】
前記超音波変換部が、前記音波導波管に直接的に接触している、請求項１に記載の歯ブラシ。
【請求項２９】
前記音波導波管内への超音波の伝達の効率を改善する、前記超音波変換部と該音波導波管との間に配置されたインピーダンス・マッチング層をさらに備える、請求項１に記載の歯ブラシ。
【請求項３０】
前記音波導波管が、円錐形部分を備える、請求項１に記載の歯ブラシ。
【請求項３１】
前記音波導波管が、ピラミッド型部分を備える、請求項１に記載の歯ブラシ。
【請求項３２】
前記音波導波管が、弾丸型主部を備える、請求項１に記載の歯ブラシ。
【請求項３３】
前記音波導波管が、カーブした遠位表面を有する、請求項１に記載の歯ブラシ。
【請求項３４】
前記音波導波管が、矩形である、請求項１に記載の歯ブラシ。
【請求項３５】
前記音波導波管が、先細の側壁を有する、請求項１に記載の歯ブラシ。
【請求項３６】
前記音波導波管が、超音波を音波インコヒーレントに収束し得る、請求項１に記載の歯ブラシ。
【請求項３７】
前記歯ブラシが、作動の間、前記音波導波管を越えて約１ｍｍと１０ｍｍとの間の距離で、少なくとも２ｃｍ／秒の流体流動を生じる、請求項１に記載の歯ブラシ。
【請求項３８】
前記音波導波管を通して前記超音波を少なくとも部分的に反射させるための、前記超音波変換部の各側面を越えてその周囲に延びる要素をさらに備える、請求項１に記載の歯ブラシ。
【請求項３９】
前記超音波変換部および前記音波導波管が、作動の間、使用者のデンタル流体内にキャビテーションを生じるように構成されている、請求項１に記載の歯ブラシ。
【請求項４０】
前記超音波変換部および音波導波管が、作動の間、使用者のデンタル流体内にマイクロバブルのマイクロストリーミングを生じるように構成されている、請求項１に記載の歯ブラシ。
【請求項４１】
基部、該基部から延びる複数の毛、該基部から延びる音波導波管、および該音波導波管の近位で作動可能な超音波変換部を有し、その結果、超音波が、作動の間、該超音波変換部から、該音波導波管内へ、そして該音波導波管を通って伝達する、取り外し可能な歯ブラシヘッド。
【請求項４２】
前記音波導波管がポリマーから形成されている、請求項４１に記載の取り外し可能な歯ブラシヘッド。
【請求項４３】
前記ポリマーが、常温加硫シリコーン、液体射出成形シリコーン、および熱可塑性エラストマーから選択される、請求項４１に記載の取り外し可能な歯ブラシヘッド。
【請求項４４】
前記音波導波管が誘電性物質から形成されている、請求項４１に記載の取り外し可能な歯ブラシヘッド。
【請求項４５】
前記音波導波管が、約５ＳｈｏｒｅＡと約２００ＳｈｏｒｅＡとの間の硬度を有する材料から形成されている、請求項４１に記載の取り外し可能な歯ブラシヘッド。
【請求項４６】
前記音波導波管が、約２０ＳｈｏｒｅＡと約８０ＳｈｏｒｅＡとの間の硬度を有する材料から形成されている、請求項４１に記載の取り外し可能な歯ブラシヘッド。